(57)【要約】【課題】  パチンコ店等の遊技施設（特に大型の遊技施設）において、遊技施設を訪れたお客が、目的の遊技機がどこに設置されているのかを迅速に探し出すことができるための技術を提供する。【解決手段】  遊技施設内に複数の遊技機を含む少なくとも２つの遊技機列を一定間隔をおいて配置するとともに、該遊技機列間を通路とし、該通路上にアーケードを設置したことを特徴とする遊技施設。前記アーケードは、例えば、一端が一方の遊技機列に固定され他端が他方の遊技機列に固定される複数のアーチと、遊技機を象徴する表示が表示されたシート材と、を備える。また、前記シート材は、例えば、透明シートである。また、例えば、前記遊技機を象徴する表示は、前記遊技機と同一又は類似の文字、色、模様、キャラクターのうちの少なくとも一つを含む。【選択図】        図１
2007061460.tif 000002
【特許請求の範囲】
【請求項１】
遊技施設内に複数の遊技機を含む少なくとも２つの遊技機列を間隔をおいて配置するとともに、該遊技機列間を通路とし、該通路上にアーケードを設置したことを特徴とする遊技施設。
【請求項２】
前記アーケードは、
一端が一方の遊技機列に固定され他端が他方の遊技機列に固定され、前記通路方向に配列された複数のアーチと、
前記複数のアーチの隙間を覆うシート材とを備えることを特徴とする請求項１に記載の遊技施設。
【請求項３】
前記シート材には、装飾が施されている請求項２に記載の遊技施設。
【請求項４】
前記シート材に施された装飾は、アーケードが設置された通路に配置されている遊技機の内容を象徴する表示である請求項３に記載の遊技施設。
【請求項５】
前記遊技機を象徴する表示は、前記遊技機において使用されている文字、色、模様、キャラクターのうちの少なくとも一つを含むことを特徴とする請求項４に記載の遊技施設。
【請求項６】
前記シート材は、前記アーチに装着された状態で、各遊技機列との間にスペースが確保される寸法であることを特徴とする請求項２〜５のいずれか１に記載の遊技施設。
【請求項７】
前記シート材には、孔が形成されていることを特徴とする請求項２〜６のいずれか１に記載の遊技施設。
【請求項８】
前記アーチの最頂点部は、監視カメラよりも高い位置に設定されていることを特徴とする請求項２〜７のいずれか１に記載の遊技施設。
【請求項９】
前記シート材は、透明又は半透明であることを特徴とする請求項２〜８のいずれか１に記載の遊技施設。
【発明の詳細な説明】
【技術分野】
【０００１】
この発明は、複数の遊技機を含む少なくとも２つの遊技機列を一体間隔をおいて配置するとともに、該遊技機列間を通路とする遊技施設に関するものである。
【背景技術】
【０００２】
従来、パチンコ店等の遊技施設（特に大型の遊技施設）においては、同一種類の遊技機（パチンコ台やスロットマシン等）を二列（あるいやそれ以上の複数列）に配置して、その列と列の間を通路としていることが多い。遊技施設を訪れたお客は、壁面等に掲示された案内板（遊技機の配置図等が表示されている）に従って目的の遊技機まで通路を通って移動し、遊技機前に設けられた椅子に着座して遊技を行う。
【０００３】
しかしながら、案内板等が存在するとしても、パチンコ店等の遊技施設（特に大型の遊技施設）においては、多種類の遊技機が設置されていることが多いから、遊技施設を訪れた客にとっては、目的の遊技機がどこに設置されているのかを迅速に探し出すのが困難であるという問題がある。また、近年のパチンコ店では、設備費を軽減するために内装が粗末となり易く、例えば天井が設けられずに、屋根裏が店内に露出したものが多く、配管などが直接視認でき、美観に欠けると言った問題がある。
【０００４】
本発明に関連すると思われるものとして次のものがある（特許文献１参照）。
【特許文献１】特願２００１−１７１８０３号
【発明の開示】
【発明が解決しようとする課題】
【０００５】
本発明の課題は、パチンコ店等の遊技施設（特に大型の遊技施設）において、遊技施設を訪れたお客が、目的の遊技機がどこに設置されているのかを迅速に探し出すことができるための施設、又は、安価に構築された内装を補い美観を容易に演出できる施設を提供することにある。
【課題を解決するための手段】
【０００６】
以上のような目的は、以下の本発明によって達成される。 
（１）  遊技施設内に複数の遊技機を含む少なくとも２つの遊技機列を間隔をおいて配置するとともに、該遊技機列間を通路とし、該通路上にアーケードを設置したことを特徴とする遊技施設。
【０００７】
（２）  前記アーケードは、
一端が一方の遊技機列に固定され他端が他方の遊技機列に固定され、前記通路方向に配列された複数のアーチと、
前記複数のアーチの隙間を覆うシート材とを備えることを特徴とする上記（１）に記載の遊技施設。
【０００８】
（３）  前記シート材には、装飾が施されている上記（２）に記載の遊技施設。
【０００９】
（４）  前記シート材に施された装飾は、アーケードが設置された通路に配置されている遊技機の内容を象徴する表示である上記（３）に記載の遊技施設。
【００１０】
（５）  前記遊技機を象徴する表示は、前記遊技機において使用されている文字、色、模様、キャラクターのうちの少なくとも一つを含むことを特徴とする上記（４）に記載の遊技施設。
【００１１】
（６）  前記シート材は、前記アーチに装着された状態で、各遊技機列との間にスペースが確保される寸法であることを特徴とする上記（２）〜（５）のいずれか１に記載の遊技施設。
【００１２】
（７）  前記シート材には、孔が形成されていることを特徴とする上記（２）〜（６）のいずれか１に記載の遊技施設。
【００１３】
（８）  前記アーチの最頂点部は、監視カメラよりも高い位置に設定されていることを特徴とする上記（２）〜（７）のいずれか１に記載の遊技施設。
【００１４】
（９）  前記シート材は、透明又は半透明であることを特徴とする上記（２）〜（８）のいずれか１に記載の遊技施設。
【発明の効果】
【００１５】
請求項１に記載の発明によれば、遊技機列間を通路とし、該通路上にアーケードを設置したから、遊技中のお客の上にアーケードが覆い被さるため、屋根裏などの内装が不十分な場所を隠す効果があり、店内の美観を確保することが容易となる。 
請求項２に記載の発明によれば、一端が一方の遊技機列に固定され他端が他方の遊技機列に固定される複数のアーチと、遊技機を象徴する表示が表示されたシート材と、を備えるから、アーケードを極めて簡易かつ安価に製造できる。また、シート材を交換することで、店内の模様替えが簡単に可能となるので、模様替えの度に内装工事をする手間が省け、費用の軽減を図ることができる。
【００１６】
請求項３に記載の発明によれば、シート材に装飾を施すことによって、内装を任意の内容に演出することが可能となり、広告宣伝等、あらゆる用途に用いることができる。 
請求項４に記載の発明によれば、シート材の装飾を、遊技機の内容を象徴する表示することで、アーケードが設けられている通路に設置されている遊技機の種類を、お客は、直感的に把握することができる。このため、お客は、目的の遊技機を探し当てるために時間を要しない。 
請求項５に記載の発明によれば、遊技機の内容を象徴する表示は前記遊技機の内容を象徴する文字、色、模様、キャラクターのうちの少なくとも一つを含むから、遊技施設を訪れたお客は、その文字等から遊技機を連想でき、これによって、目的の遊技機がどこに設置されているのかを迅速に探し出すことができる。
【００１７】
請求項６に記載の発明によれば、前記シート材は前記アーチに装着された状態で、各遊技機列との間にスペースが確保される寸法であるから、このスペースを介して、遊技機上面に配置された機材を操作することができるように、あるいは冷暖房による空気流が遊技機前に着座した利用者に届くようになっている。 
請求項７に記載の発明によれば、前記シート材には、孔が形成されているから、この孔を介して喚起流（あるいは、冷房機器からの冷機等）が利用者に届くようになっている。
【００１８】
請求項８に記載の発明によれば、前記アーチの最頂点部は監視カメラよりも高い位置に設定されているから、監視カメラによる監視範囲が狭められることがない。 
請求項９に記載の発明によれば、前記シート材は透明又は半透明であるから、店舗内照明等が遮断されることがない。また、アーケードがお客に与える圧迫感が軽減される。
【発明を実施するための最良の形態】
【００１９】
次に本発明の好適実施形態について説明する。図１は、遊技施設内に設置された本実施形態のアーケードを説明するための図である。図２、図３、図４は、図１に示されたアーケードの構造を説明するための図である。 
以下、図面を参照しながら本実施形態のアーケード１００の構成について説明する。図１に示されるように、遊技施設３０内には、同一種類の遊技機４０が二列に配置され、その列と列の間が通路５０とされている。アーケード１００は、通路５０に沿って配置される複数のアーチ１０、およびこの複数のアーチ１０を覆うシート２０を備えている。
【００２０】
アーチ１０は、スチール等の弾性のある金属（あるいはプラスチック）材料からなる線材であり、その一端が一方の遊技機列に固定され、その他端が他方の遊技機列に固定される。この固定の方法は各種のものが考えられる。本実施形態では、図２に示されるように、アーチ１０の両端（一端および他端）に四隅にネジ穴が設けられた略矩形の台座１１が溶接等で接続されており、この台座１１を遊技機上面に木ネジで締め付けることによって固定している。アーチ１０は、各遊技機に設けてもよいし、あるいは１つおき２つおきの遊技機のように、間隔を持たせて設けてもよい。各アーチ１０には通路５０に沿って延びる複数の補強用の線材６０が溶接等で接続されている。これによって各アーチ１０が補強されている。
【００２１】
図１に示されるように、複数のアーチ１０はシート２０で覆われる。シート２０は、アーチ１０に装着された状態で、最手前のアーチ１０（１０Ｆ）から最奥のアーチ１０（１０Ｂ）に達する長さと、左列の下から２つ目の補強用線材６０（６０Ｌ）から右列の下から２つ目の補強用線材６０（６０Ｒ）に達する幅を持つ。すなわち、シート２０の縁と遊技機上面との間に、スペース（シート２０によって覆われないスペース）Ｓが形成される。このスペースＳを介して、遊技機上面に配置された機材Ｋを操作することが可能となり、あるいは冷暖房による空気流が遊技機４０前に着座した利用者に届くようになっている。
【００２２】
また、このスペースＳを設けたので、監視カメラＣによる監視範囲が狭められることがない。また、アーチ１０の最頂点部は、監視カメラＣよりも高い位置に設定されている。これによっても、監視カメラＣによる監視範囲が狭められることがない。また、シート２０には、アーチ１０と補強用線材６０によって区画される部分に孔Ｈが形成されている。この孔Ｈを介して、喚起流（あるいは、空調設備の送風口３１からの冷機等）が利用者に届くようになっている。
【００２３】
シート２０には、同一種類の遊技機４０を象徴する表示２０１が表示されている。本実施形態では、遊技機４０が海を題材とした内容の遊技機であるので、この遊技機４０を連想させるために、水色のシートに、波の図柄２０１ｗ、魚２０１ｓ、珊瑚などの模様（あるいは遊技機の演出に表れる文字、色、模様、キャラクターと同一又は類似の文字、色、模様、キャラクターであってもよい）を施した透明シートによって構成されている。シート２０の装着方法は各種のものが考えられる。本実施形態では、図１および図３に示されるように、シート２０の縁に面状ファスナー２１ａ、２１ｂを有する接続部材２１が接着剤等によって取り付けられている。接続部材２１は、中央で湾曲させて折り曲げられる構成となっており、折り曲げられる内側の面の両端には、面状ファスナー２１ａ、２１ｂがそれぞれ設けられ、折り曲げ時には、面状ファスナー２１ａ、２１ｂが重なって容易に離脱しないように接続され、内側にアーチ１０Ｂ（１０Ｆ）を固定する。接続部材２１の外側面には、接着層２１０が設けられ、接続部材２１は、該接着層を介してシート２０に、固定されている。
【００２４】
図４に示されるように、この接続部材２１で最手前のアーチ１０（１０Ｆ）と最奥のアーチ１０（１０Ｂ）を巻き込むようにして、挟み込むことで、シート２０はアーチ１０に装着される。なお、アーケード１００の組み立て方法については、工場等において予めアーケード１００を組み立て、これを遊技施設内に搬入して設置するようにしてもよいし、あるいはアーチ１０や補強用線材６０を遊技施設内に搬入して、これをアーケード１００に組み立てるようにしてもよい。シート２０は透明又は半透明の材料で構成されているので、シート２０の反対側を視認することができ、アーケード１００の内側に座っているお客に対して、心理的な圧迫感を与えることが抑制され、さらに、照明の光をお客まで到達させることができる。
【００２５】
シート２０に表示される図柄は、遊技機を象徴するものに限らず、宣伝コピーなどの店からお客に対するメッセージ、お客の興趣性を促進させる図柄や文句などであってもよい。シート２０は、アーチ１０に対して着脱自在に設けられているので、容易に交換することができる。従って、パチコン台を交換した場合に、新に導入されたパチコン台に合致したシート２０に交換することが、迅速かつ安価に可能となる。また、店内の雰囲気を変える場合にも、内装工事をすることなく、シート２０を交換することで足りるので、安価で容易なイメージチェンジを可能とすることができる。
【００２６】
次に、上記実施形態のアーケード１００の変形例について説明する。上記実施形態においては、シート２０には、アーチ１０と補強用線材６０によって区画される部分に孔Ｈが形成されているように説明したが、本発明はこれに限定されない。例えば、シート２０に表示された図柄等の一部をくり抜いて孔Ｈとしてもよい。例えば、図柄として泡が表示されているのであれば、この泡をその輪郭に沿ってくり抜いて孔Ｈとすることが考えられる。
【００２７】
また、シート２０の一部に孔を形成し、該孔からアーケードの内側に、照明や喚起口が挿入された構成とすることもできる。このような構成にすることによって、アーケード内の照度をより明るく維持でき、また、アーケード内の温度を直接的に調節することができる。
【００２８】
上記実施形態によれば、遊技機列間を通路とし、該通路上にアーケードを設置したから、アーケードに遊技機を象徴する表示を表示するようにすれば、遊技施設を訪れたお客は、そのアーケードを目印として、目的の遊技機がどこに設置されているのかを迅速に探し出すことができる。しかも、一端が一方の遊技機列に固定され他端が他方の遊技機列に固定される複数のアーチと、遊技機を象徴する表示が表示されたシート材と、を備えるから、アーケードを極めて簡易かつ安価に製造できる。 
本発明は、その精神または主要な特徴から逸脱することなく、他の様々な形で実施することができる。このため、上記の実施形態はあらゆる点で単なる例示にすぎない。これらの記載によって本発明が限定的に解釈されるものではない。
【図面の簡単な説明】
【００２９】
【図１】本発明の一実施形態であるアーケードの斜視図である。
【図２】図１に示されるアーケードの構造を説明するための図である。
【図３】図１に示されるアーケードの構造を説明するための図である。
【図４】図１に示されるアーケードの構造を説明するための図である。
【符号の説明】
【００３０】
１００    アーケード
１０      アーチ
１１      台座
２０      シート
２１      接続部材
２１ａ    ファスナー面
３０      遊技施設
４０      遊技機
５０      通路
６０      補強用線材
Ｃ        監視カメラ
Ｈ        孔
Ｋ        機材
Ｓ        スペース
【図１】
2007061460.tif 000003
【図２】
2007061460.tif 000004
【図３】
2007061460.tif 000005
【図４】
2007061460.tif 000006